【手続補正書】
【提出日】平成18年9月27日(2006.9.27)
【手続補正１】
【補正対象書類名】明細書
【補正対象項目名】特許請求の範囲
【補正方法】変更
【補正の内容】
【特許請求の範囲】
【請求項１】  １ゲームに賭ける賭数が設定されることによりゲームを開始させることが可能となり、複数種類の識別情報を可変表示可能な複数の可変表示部を有する可変表示装置において前記複数の可変表示部の表示結果が導出表示されることにより１ゲームの終了条件が成立し、前記複数の可変表示部の表示結果に応じて入賞が発生し得るスロットマシンであって、
前記複数の可変表示部の各々に対応して設けられ、前記複数種類の識別情報が配列されたリールと、
前記ゲームを開始させる条件が成立した場合に、すべてのリールの回転を開始させる回転開始手段と、
入賞の発生を許容するか否かを前記複数の可変表示部の表示結果が導出表示される前に決定する事前決定手段と、
前記リールの停止位置を定めるための停止位置データが格納された複数の停止位置テーブルと、
前記リールの回転を停止させる停止操作を検出する停止操作検出手段と、
前記停止操作が検出された場合に、停止対象となるリールの停止位置を前記停止位置テーブルを用いて決定する停止位置決定手段と、
該停止位置決定手段により決定された停止位置で前記停止対象のリールの回転を停止させるリール停止手段と、
前記停止位置決定手段により決定された停止位置に応じて、未停止のリールの停止位置を決定するために用いる停止位置テーブルを変更する停止位置テーブル変更手段と、
前記複数の可変表示部に表示される識別情報の組合せが入賞の態様となる条件を満たすリーチが成立している入賞ラインで入賞が発生することを阻止する外し制御条件が成立しているか否かを判別する外し制御条件判別手段と、
該外し制御条件判別手段により前記外し制御条件が成立していると判別された後、特定されている停止位置によれば前記リーチが成立している入賞ライン上に所定の識別情報が停止して入賞が発生するか否かを判定する入賞判定手段と、
該入賞判定手段により入賞が発生すると判定されたときに、前記リールの停止位置を前記リーチが成立している入賞ライン上に所定の識別情報が停止しない位置に変更する停止位置変更手段とを含むことを特徴とする、スロットマシン。
【請求項２】  前記停止位置テーブル変更手段は、前記複数のリールの各々が段階的に停止して未停止のリールが１つとなった段階で、前記停止位置テーブルを変更することを特徴とする、請求項１に記載のスロットマシン。
【請求項３】  前記複数のリールの各々が段階的に停止して未停止のリールが１つとなった段階で、停止済みのリールによって前記リーチが成立し、かつ、当該入賞の態様が前記事前決定手段の決定結果に合致しているという特定条件が成立しているか否かを判別する判別手段をさらに含み、
前記停止位置テーブル変更手段は、前記複数のリールの各々が段階的に停止して未停止のリールが１つとなった段階においては、前記判別手段により前記特定条件が成立している旨が判別されたことを条件に、すでに選択されている停止位置テーブルを前記入賞を発生させるための停止位置テーブルに変更することを特徴とする、請求項１または請求項２に記載のスロットマシン。
【請求項４】  入賞役として、前記事前決定手段により入賞が許容されたゲームで当該入賞が発生しなかった場合に次回のゲームに当該事前決定手段の決定内容が持ち越される持越役と次回のゲームに当該事前決定手段の決定内容が持ち越されない非持越役とが定められており、
前記複数のリールの各々が段階的に停止して未停止のリールが１つとなった段階で、停止済みのリールによって前記リーチが成立しているか否かを判別するリーチ判別手段をさらに含み、
前記停止位置テーブル変更手段は、前記リーチ判別手段によって前記リーチが成立していると判別された場合に、当該リーチに対応する入賞役の入賞の発生が前記事前決定手段により許容されていることを条件として、すでに選択されている停止位置テーブルを前記リーチに対応する入賞役の入賞を発生させるための停止位置テーブルに変更し、
前記リーチ判別手段は、前記非持越役のリーチの成立の有無を前記持越役のリーチの成立の有無よりも先に判別することを特徴とする、請求項１または請求項２に記載のスロットマシン。
【請求項５】  前記停止位置テーブルを指定するためのテーブル指定データを格納する複数種類の停止制御テーブルと、
前記事前決定手段により入賞の発生を許容するか否かが決定されたタイミングで、１ゲームにおけるリールの停止制御に用いる停止制御テーブルを複数種類の中から選択する停止制御テーブル選択手段とをさらに含み、
前記停止位置テーブル変更手段は、前記停止制御テーブルに格納されているテーブル指定データを更新することによって、未停止のリールの停止位置を決定するために用いる停止位置テーブルを変更することを特徴とする、請求項１〜請求項４のいずれかに記載のスロットマシン。
【請求項６】  前記停止制御テーブルは、最大の賭数に対して複数規定されていることを特徴とする、請求項５に記載のスロットマシン。
【請求項７】  入賞役として、ビッグボーナスと、レギュラーボーナスとが定められており、
前記ビッグボーナスの入賞が許容されている場合に前記停止制御テーブル選択手段によって選択される停止制御テーブルと、前記レギュラーボーナスの入賞が許容されている場合に前記停止制御テーブル選択手段によって選択される停止制御テーブルとが兼用されていることを特徴とする、請求項５または請求項６に記載のスロットマシン。
【請求項８】  前記停止位置テーブル変更手段が前記停止位置テーブルを変更するために用いるテーブルであって、変更すべき停止位置テーブルを指定するデータが格納された変更テーブルをさらに含むことを特徴とする、請求項１〜請求項７のいずれかに記載のスロットマシン。
【請求項９】  前記事前決定手段は入賞の発生を許容するか否かを入賞役別に決定し、
前記事前決定手段の決定に従い導出表示することが許容される前記複数の可変表示部の表示結果のうち、前記事前決定手段の決定率が最も高い決定に対応する表示結果に対応して、内容が異なる複数種類の停止制御テーブルが規定されていることを特徴とする、請求項５〜請求項８のいずれかに記載のスロットマシン。
【請求項１０】  特定の入賞役に対応して、複数の停止制御テーブルが規定されていることを特徴とする、請求項１〜請求項８のいずれかに記載のスロットマシン。
【請求項１１】  前記特定の入賞役は、ビッグボーナスまたはレギュラーボーナスであることを特徴とする、請求項１０に記載のスロットマシン。
【手続補正２】
【補正対象書類名】明細書
【補正対象項目名】０００７
【補正方法】変更
【補正の内容】
【０００７】
【課題を解決するための手段の具体例およびその効果】
（１）  １ゲームに賭ける賭数が設定されることによりゲームを開始させることが可能となり、複数種類の識別情報（たとえば図柄）を可変表示可能な複数の可変表示部（たとえば、透視窓４０に見られる左可変表示部、中可変表示部、右可変表示部、あるいは画像表示装置による画像により形成される左可変表示部、中可変表示部、右可変表示部）を有する可変表示装置（たとえば、リールユニット４あるいは画像表示装置）において前記複数の可変表示部の表示結果が導出表示されることにより１ゲームの終了条件が成立し、該可変表示装置の表示結果に応じて入賞が発生し得るスロットマシン（１）であって、
前記複数の可変表示部の各々に対応して設けられ、前記複数種類の識別情報が配列されたリール（たとえば、リール４Ｌ，４Ｃ，４Ｒあるいは画像により表示されるリール）と、
前記ゲームを開始させる条件が成立した場合に、すべてのリールの回転を開始させる回転開始手段（たとえば、Ｓ４）と、
入賞の発生を許容するか否かを前記複数の可変表示部の表示結果が導出表示される前に決定する事前決定手段（たとえば、Ｓ１）と、
前記リールの停止位置を定めるための停止位置データが格納された複数の停止位置テーブル（たとえば、コマ数テーブル）と、
前記リールの回転を停止させる停止操作を検出する停止操作検出手段（たとえば、Ｓ５、Ｓ１７、Ｓ３０）と、
前記停止操作が検出された場合に、停止対象となるリールの停止位置を前記停止位置テーブルを用いて決定する停止位置決定手段（たとえば、Ｓ６〜Ｓ９）と、
該停止位置決定手段により決定された停止位置で前記停止対象のリールの回転を停止させるリール停止手段（たとえば、Ｓ１０）と、
前記停止位置決定手段により決定された停止位置に応じて、未停止のリールの停止位置を決定するために用いる停止位置テーブルを変更する停止位置テーブル変更手段（たとえば、Ｓ１１〜Ｓ１６、Ｓ２５〜Ｓ２９）と、
前記複数の可変表示部に表示される識別情報の組合せが入賞の態様となる条件を満たすリーチが成立している入賞ラインで入賞が発生することを阻止する外し制御条件が成立しているか否かを判別する外し制御条件判別手段（たとえば、図１２のＳ２３、Ｓ２４）と、
該外し制御条件判別手段により前記外し制御条件が成立していると判別された後、特定されている停止位置によれば前記リーチが成立している入賞ライン上に所定の識別情報が停止して入賞が発生するか否かを判定する入賞判定手段（たとえば、図１３のＳ３７）と、
該入賞判定手段により入賞が発生すると判定されたときに、前記リールの停止位置を前記リーチが成立している入賞ライン上に所定の識別情報が停止しない位置に変更する停止位置変更手段（たとえば、図１３のＳ３９〜Ｓ４１）とを含む。
【手続補正３】
【補正対象書類名】明細書
【補正対象項目名】００１１
【補正方法】変更
【補正の内容】
【００１１】
（３）  前記複数のリールの各々が段階的に停止して未停止のリールが１つとなった段階で、停止済みのリールによって前記リーチが成立し、かつ、当該入賞の態様が前記事前決定手段の決定結果に合致しているという特定条件が成立しているか否かを判別する判別手段（たとえば、Ｓ１９〜Ｓ２２）をさらに含み、
前記停止位置テーブル変更手段は、前記複数のリールの各々が段階的に停止して未停止のリールが１つとなった段階においては、前記判別手段により前記特定条件が成立している旨が判別されたことを条件に、すでに選択されている停止位置テーブルを前記入賞を発生させるための停止位置テーブルに変更する（たとえば、第２停止リール停止後にＳ２９でコマ数テーブル番号が更新されるのは、Ｓ１９〜Ｓ２２のいずれかでＹＥＳと判断される場合に限られる）。
【手続補正４】
【補正対象書類名】明細書
【補正対象項目名】００１３
【補正方法】変更
【補正の内容】
【００１３】
（４）  入賞役として、前記事前決定手段により入賞が許容されたゲームで当該入賞が発生しなかった場合に次回のゲームに当該事前決定手段の決定内容が持ち越される持越役（たとえば、図８のクリア条件の欄に示されるように、ＢＢ、ＲＢ）と次回のゲームに当該事前決定手段の決定内容が持ち越されない非持越役（たとえば、図８のクリア条件の欄に示される各種小役等）とが定められており、
前記複数のリールの各々が段階的に停止して未停止のリールが１つとなった段階で、停止済みのリールによって前記リーチが成立しているか否かを判別するリーチ判別手段（たとえば、図１２のＳ１９〜Ｓ２２）をさらに含み、
前記停止位置テーブル変更手段は、前記リーチ判別手段によって前記リーチが成立していると判別された場合に、当該リーチに対応する入賞役の入賞の発生が前記事前決定手段により許容されていることを条件として、すでに選択されている停止位置テーブルを前記リーチに対応する入賞役の入賞を発生させるための停止位置テーブルに変更し（たとえば、図１２のＳ２９）、
前記リーチ判別手段は、前記非持越役のリーチの成立の有無を前記持越役のリーチの成立の有無よりも先に判別する（たとえば、図１２のＳ１９〜Ｓ２２で持越役よりも非持越役を優先して判断している）。